(57)【要約】【課題】  幼児及び児童の音楽教育における読譜を習得するための、音符記号の種類の違いにかかわらず、迅速に音名の読み取りができるようになる音楽学習教材を提供すること。【解決手段】  カードの表側表示面に全音符、二分音符、四分音符又は八分音符をそれぞれ表示する４組のカード群からなるトランプであって、前記カード群の各々のカード１の表側表示面は、五線２上に音部記号３１又は３２、及び前記音符４からなる五線記譜法記号により特定される１つの音の高さの表示を有しており、且つ上記音符の代わりに休止符からなる五線記譜法記号を表示するカードをさらに少なくとも１枚有することを特徴とする、トランプ。【選択図】図１
0003179557.tif 000002
【実用新案登録請求の範囲】
【請求項１】
カードの表側表示面に全音符、二分音符、四分音符又は八分音符をそれぞれ表示する４組のカード群からなるトランプであって、
前記カード群の各々のカードの表側表示面は、五線上に音部記号及び前記音符からなる五線記譜法記号により特定される１つの音の高さの表示を有しており、且つ
上記音符の代わりに休止符からなる五線記譜法記号を表示するカードをさらに少なくとも１枚有する
ことを特徴とする、トランプ。
【請求項２】
前記音の高さが、変化記号をさらに含む五線記譜法記号により特定される１つの音の高さを含む、請求項１に記載のトランプ。
【請求項３】
前記五線記譜法記号により特定される１つの音の高さの表示が、カードの表側表示面に複数個配され、
且つ１つのカードの中に表示される前記音の高さの夫々は同じ音の高さを表示するものである、請求項１又は２に記載のトランプ。
【請求項４】
前記五線記譜法記号により特定される１つの音の高さの表示が、互いに同じ五線記譜法記号表示として、各カード表側表示面の上部２分の１の領域及び下部２分の１の領域に、且つカードの中心に関して点対称の向きに、それぞれ１つずつ配される、請求項１から３のいずれか１項に記載のトランプ。
【請求項５】
前記カード群の各々のカードの音の高さの表示が、８乃至１３の音の高さ、一点ハ音から二点ハ音まで、二点ハ音から三点ハ音まで、ハ音から一点ハ音まで、又は、は音からハ音までの音の高さである、請求項１に記載のトランプ。
【請求項６】
前記音部記号が、ト音記号又はヘ音記号であり、
前記４組のカード群の各カードにおいて、前記五線記譜法記号により特定される１つの音の高さの表示が、ト音記号により特定される音の高さのみ、ヘ音記号により特定される音の高さのみ、又はト音記号により特定される音の高さ及びヘ音記号により特定される音の高さの組み合わせである、請求項１に記載のトランプ。
【考案の詳細な説明】
【技術分野】
【０００１】
本考案は、音符トランプに関し、さらに詳細には、音楽学習初心者の音符速読力を強化するための学習教材に関する。
【背景技術】
【０００２】
昨今では、幼児及び児童のための音楽に親しむ教育の需要が増えている。これは、音楽専門家を目指すのではなくとも、楽しみながら行われる音楽教育が子供の個性や能力を伸ばすことに繋がるからである。
音楽教育において、特に器楽教育において、読譜の習得は重要な位置を占めるものの、幼児及び児童の学習初心者にとってはいくつかの困難を含んでいる。
例えば、音符には、全音符、二分音符、四分音符、八分音符等があり、音の長さを音符記号の種類によって使い分ける。
しかし、幼少の学習者は、これらを区別することが困難であり、音の高さが同じでも音符記号の種類（符頭の色、付点の有無、符幹・符尾、符鉤の有無）が異なることで、たちまち混乱をきたし、これらの音程の異同を判断することができない問題があった。
【０００３】
現在市販されている読譜教材（例えば、非特許文献１）は、全音符の表示がほとんどであるが、上記問題に鑑みると、実際に楽譜の中で多く使用される二分音符、四分音符、八分音符等を含め、これらの混在した状態での読譜練習をより多く行う必要がある。
【０００４】
特許文献１は、音名を覚えるための音符カードを開示している。当該文献は、音名を覚えるためのものであるため、音の高さは、単なる白抜き丸（線上の音の高さを表す場合であっても白抜き丸の記号）で表され、楽譜で用いられる音符記号ではない。
【０００５】
特許文献２は、五線に各種音符が記載されたカードを開示している。しかし、音部記号は無く、カードの上下を特定するための星印が付されているのみであり、該星印をもとにカードの向きをそろえて並べる必要がある。
また、特許文献３は、五線に各種音符が記載されたカードを開示している。しかし、該カードの左上隅及び右下隅に記載された互いに異なる音部記号、音符及び音名は、該カードの上下向きを変えることによって、中央部に配される五線及び音符のみからなる表示が異なる音名を表すことを示している。このため、最左端に音部記号カードを配し、決められた向きにカードを並べていくことによって初めて該カードの意図する音名が判別される。また、カードを上下反転させて用いることにより、該カードは、２種類の音名を表す２通りのカード（例えば、特許文献３の図１のカードは「ド」又は「ラ」の２通りを表す）として使われる。
これらはいずれも、音名を覚えるか又は複数のカードを並べ比較した場合の音程の上下を視覚的に認識することを目的とし、音符の長さはゲーム終了後の点数計算のためのものである。また、これらのカードを上下左右の全方向から見る場合には、音名の特定に煩雑さが生じている。
【０００６】
このように、これらの特許文献１乃至３に係るカードは、カードに音符が記載されているものの、音名を理解しかつ迅速に読譜を習得するためのものではなく、また、その作用及び機能を有するものとは異なる。
【先行技術文献】
【特許文献】
【０００７】
【特許文献１】特開２００５−２３０４８３号公報
【特許文献２】特開２００９−１８３３５６号公報
【特許文献３】実用新案登録第３１５２８８７号公報
【非特許文献】
【０００８】
【非特許文献１】編著者：池田奈々子、「音楽の基礎学習プリント  書いて覚える徹底！！譜読」、株式会社ドレミ楽譜出版社、初版第４刷、２００５年４月１０日、２１頁、４２頁
【考案の概要】
【考案が解決しようとする課題】
【０００９】
本考案は、かかる問題に鑑み、幼児及び児童の音楽教育における読譜を習得するための、音符記号の種類の違いにかかわらず、迅速に音名の読み取りができるようになる音楽学習教材を提供することを課題とする。
【課題を解決するための手段】
【００１０】
本考案の課題は、以下の手段によって達成された。
＜１＞  カードの表側表示面に全音符、二分音符、四分音符又は八分音符をそれぞれ表示する４組のカード群からなるトランプであって、
前記カード群の各々のカードの表側表示面は、五線上に音部記号及び前記音符からなる五線記譜法記号により特定される１つの音の高さの表示を有しており、且つ
上記音符の代わりに休止符からなる五線記譜法記号を表示するカードをさらに少なくとも１枚有する
ことを特徴とする、トランプ。
＜２＞  前記音の高さが、変化記号をさらに含む五線記譜法記号により特定される１つの音の高さを含む、＜１＞に記載のトランプ。
＜３＞  前記五線記譜法記号により特定される１つの音の高さの表示が、カードの表側表示面に複数個配され、
且つ１つのカードの中に表示される前記音の高さの夫々は同じ音の高さを表示するものである、＜１＞又は＜２＞に記載のトランプ。
＜４＞  前記五線記譜法記号により特定される１つの音の高さの表示が、互いに同じ五線記譜法記号表示として、各カード表側表示面の上部２分の１の領域及び下部２分の１の領域に、且つカードの中心に関して点対称の向きに、それぞれ１つずつ配される、＜１＞から＜３＞のいずれか１項に記載のトランプ。
＜５＞  前記カード群の各々のカードの音の高さの表示が、８ないし１３の音の高さ、一点ハ音から二点ハ音まで、二点ハ音から三点ハ音まで、ハ音から一点ハ音まで、又は、は音からハ音までの音の高さである、＜１＞に記載のトランプ。
＜６＞  前記音部記号が、ト音記号又はヘ音記号であり、
前記４組のカード群の各カードにおいて、前記五線記譜法記号により特定される１つの音の高さの表示が、ト音記号により特定される音の高さのみ、ヘ音記号により特定される音の高さのみ、又はト音記号により特定される音の高さ及びヘ音記号により特定される音の高さの組み合わせである、＜１＞に記載のトランプ。
【００１１】
即ち、本考案のトランプの各カードの表側表示面には、五線上に、ト音記号又はへ音記号の何れかの音部記号が五線上の左端に記載され、その右側に全音符、二分音符、四分音符又は八分音符が１つの音の高さを示すように記載され、さらに必要に応じてシャープ又はフラットの変化記号が音部記号の右側であってかつ音符の左側に記載された、五線記譜法による記号が表示される。これにより、本考案のトランプの各カードには、１つの特定の音の高さが明確に示される。
【００１２】
本考案における、五線記譜法記号とは、五線、音部記号及び音符からなり、そして任意に変化記号を有する、音の高さを特定するための表示をいう。
五線とは、音の相対的な高低の関係を表すための線である。
音部記号とは、ある位置に置かれている音符が何の音を示すかを特定するための記号である。例えば、ト音記号は、一点ハ音の完全五度上のト（ソ）の音の位置を示す音部記号である。また、へ音記号は、一点ハ音の完全五度下のヘ（ファ）の音の位置を示す記号である。
音符とは、五線譜の中で、相対的な音の長さ（音価）と時間的な位置、及び高さ（音高）を表す。また、音価によってその形が異なる。それぞれの音符は、符頭、符幹・符尾、符鉤の３部分から成るが、符鉤を欠くもの、符幹・符尾及び符鉤を欠くものがある。時間的な位置と音高は、五線譜の中で符頭の位置によって示される。また、音価は、例えば全音符、二分音符、四分音符、八分音符等、さらに符頭に付点し表す。
変化記号とは、ある音を幹音を変化させずに高く、或いは低く変化をさせるために用いられる記号（シャープ及びフラット等）であり、調号及び臨時記号として用いられる。
通常、音部記号及び変化記号は、五線の左端又は特定の音符の左側に記載され、これにより音符が示す音の高さの特定が可能となる。
このようにして、音の高さは、幹音又は派生音として表される。幹音は、五線、音部記号及び音符で表され、派生音は、この幹音の表示に変化記号を加えて表される。
そして、本考案における「音の高さ」とは、五線、音部記号及び音符からなり、そして任意に変化記号を有する、五線記譜法記号の表示で特定され、該表示により各カードの音名を読み取ることができるものである。
【００１３】
本考案のトランプは、上記五線記譜法により音の高さを表した音符カードからなるトランプであって、前記トランプは、前記音の高さについて、全音符、二分音符、四分音符又は八分音符をそれぞれ表示する４組のカード群からなる。
【００１４】
本考案のトランプの各カードには、上記のように五線記譜法記号が示されているのみであり、音名は記載されていない。音名が記載されていないのは、五線記譜法記号から音名を読取る力を強化するための教材となり得るからである。
さらに、本考案のトランプによれば、各カードは、音部記号、音符、及び任意の変化記号で音の高さが特定される情報が記載されているため、カード表側面を上下逆に並べるか又は任意の１枚を取り出してみる場合であっても、複数の音の高さを表すよう示されることはなく、どの方向からでもカード１枚を見ただけで音名が明確に特定される。
【００１５】
さらに、本考案のトランプの第３及び第４の形態によれば、前記五線記譜法記号により特定される１つの音の高さの表示が、カードの表側表示面に複数個配され（図３（ａ）乃至（ｄ）参照）、例えば、通常のトランプの表示と同様、中央部の表示と同じ表示が左上及び右下部に、カードの中心に関して点対称の向きに表示される（図３（ａ）参照）。また、音符及び変化記号からなる表示が異なっても、音の高さが同一である表示を併記してもよい（図３（ｂ）参照）。さらにまた、互いに同じ五線記譜法記号表示として、各カード表側表示面の上部２分の１の領域及び下部２分の１の領域に、且つカードの中心に関して点対称の向きに、２つ配される（図３（ｃ）及び（ｄ）参照）。かかる形態のトランプによれば、対面するゲーム参加者のいずれもが、五線記譜法記号から音名をより容易に読み取ることができる。
【００１６】
本考案によるトランプは、音の高さが同じ４種類の音符、即ち、全音符、二分音符、四分音符及び八分音符の４種類のカードを有し、これら４種類の音符は、通常のトランプのハート、スペード、ダイヤ及びクラブで表される４種類のカードに相当する。
また、各カードに表された音の高さの違いは、通常のトランプの数字、Ａ、Ｊ、Ｑ及びＫの記号の違いに相当する。即ち、音の高低が、通常のトランプの数及び記号のレベルの上下に相当する。
本考案によるトランプは、通常のトランプのジョーカーのカードの代わりに、休止符を表したカードを用いる。なお、休止符の種類は、四分休符、八分休符等が挙げられるが、これらに限定されるものではない。
【００１７】
各カードの大きさは、例えば、通常用いられるトランプの大きさで良く、好ましくは、幼児、児童が迅速に取扱いできる大きさが挙げられるが、これらに限定されるものではない。
各カードの裏の面は、模様を有しても有していなくてもよく、模様を有する場合、該模様は、特に限定されるものではない。例えば、本考案の第１の形態（図１参照）によるカードの場合の該模様は、カードの上下がそろえられるように、上下区別のつく模様であることが好ましい。また、本考案の第４の形態（図３（ｃ）及び（ｄ）参照）によるカードの場合の該模様は、上下対称の模様であってもよい。カードの上下をそろえる必要がないためである。また、各カードの厚みも特に限定されるものではないが、トランプ遊びに用い得るように、表の面の表示が透けて見えないものである必要がある。
各カードの材質は、紙製、プラスチック製等が挙げられるが、これらに限定されるものではない。
【００１８】
本考案のトランプの遊び方は、上記記号の区別及び上記音の高低の区別に基づき、周知のトランプゲームのルールと同様にして、そのままのルールでゲームを進行することができるが、そのルールは、これらに限定されるものではない。
【００１９】
上記構成をなす本考案のトランプの実施態様によれば、以下のような作用効果を得ることが可能となる。即ち、本考案のトランプによれば、音楽初心学習者の読譜能力、具体的には、（１）音名を読み取る力、（２）音の配列を覚え、習熟する力、（３）特定の音の高さの次の音の高さを予測する力等が養われる。
【００２０】
例えば、ゲーム「ばばぬき」においては、自分の手持ちカードのうちの任意の２つのカードの音程の異同を他のゲーム参加者に見せて問うことは、自分の不利となるため、該音程の異同を自らで判断する力が養われる。
また、例えば、ゲーム「神経衰弱」においては、自分及び他のゲーム参加者のカードの表返し及び次いで行われる裏返し作業の間に、瞬時にそのカードの音名を読取り、これらを記憶する力が養われる。
【００２１】
読譜力は、単一の音符を読み取るだけでは不十分であり、音の配列を理解し、上行及び下行を繰り返し練習し、速度を上げて行うことで、より効果が上がる。
例えば、ゲーム「スピード」においては、示されたカードの音名とその他のカードの音名の異同を瞬時に読み取り、音の配列を理解し、次に来るべき音符を予測する力が養われる。
また、ゲーム「７ならべ」と同じ要領で「ドならべ」が行える。即ち、「ド」の音から順次進行で上行、又は下行する音符を手持ちのカードから探すことで、次にくるべき音名を予測する力が養われる。また、音符の形状の異同を判断する力も必要となる。なお、ゲームの始めに選択する音を、上記「ド」以外の音、例えば「ファ」、「ソ」等に設定すれば、難易度を挙げて、上記能力の習得に役立つ。
さらにまた、ゲーム「ソリティア」では、一人でゲームを行うことができ、上記読譜能力の向上とともに、読譜速度向上にも役立てることができる。
【００２２】
本考案のトランプの、各組のカードの音の高さの組み合わせの代表例として、初心者は、幹音（変化記号のないもの）のカードのみの組み合わせを使用する。
本考案のトランプのまた別の形態によれば、さらに、任意にト音記号及びヘ音記号等の音部記号を組み合わせて（本考案の第５及び第６の形態）、又は任意にシャープやフラット等の変化記号を含む音の高さを示すカード（図３（ｂ）及び図５参照）を組み合わせて（本考案の第２の形態）、用いてもよい。変化記号を有するカードを前記組み合わせに加えると、１オクターブの範囲のカードが１３枚となり、通常のトランプと同じ１３枚のカードを一組とした音符トランプの組み合わせとなる。該組み合わせを使用して、例えばゲーム「スピード」を行えば、異名同音も覚えられ、中級者や大人でもゲームを十分に楽しめる。
【００２３】
ピアノ学習者の場合は、主にト音記号で表される右手部及びト音記号又はヘ音記号で表される左手部を主に表す二段の五線譜（大譜表）からなる楽譜を夫々に読み取ることが必要であるため、音部記号の違いにかかわらず、素早い読譜が求められる。
したがって、本考案のトランプの別の態様によれば、ト音記号で音の高さが特定されるカードを１組として構成されるトランプ、及びヘ音記号で音の高さが特定されるカードを１組として構成されるトランプ、並びにこれらのオクターブ違いの音の高さの音符を表すカードを１組して構成されるトランプ及びこれらのカードを適宜組み合わせたトランプとすること等により、２種の音部記号で表される広い音域に亘る速やかな読譜力を養うことができるが、当該カードの組み合わせは、上記に限定されるものではない。
かかる態様において、異なる１組のトランプから適宜特定の音の高さを示すカードを選び、それらを組み合わせて１組のトランプを構成して用いることもできる。
【００２４】
さらにまた、本考案のトランプを用いて、オクターブ違いの音程も同一のカードとみなす等の特別のルール決めを行えば、初学者のみならず大人でも様々なトランプゲームを楽しめる。
【考案の効果】
【００２５】
本考案のトランプによれば、音楽教育を受け始めたばかりの幼児及び児童であっても、音符の種類の違いにかかわらず迅速に音符の読み取りができるようになり、且つ楽しみながら迅速な読譜が習得できる。
【図面の簡単な説明】
【００２６】
【図１】本考案の第１の形態によるトランプを構成する代表的なカードの表側表示面を示した平面図である。
【図２】１つの音の高さについて、異なる音価を示す音符が、それぞれ全音符、二分音符、四分音符及び八分音符により表された五線記譜法記号を有する各組の代表的なカードの表側表示面を示す平面図である。
【図３】本考案の第３の形態及び第４の形態によるトランプを構成する代表的なカードの表側表示面を示した平面図である。図３（ａ）乃至（ｄ）は、本考案の第３の形態を表し、図３（ｃ）及び（ｄ）は、本考案の第４の形態によるトランプを表す。
【図４】本考案のトランプの、１つの組を構成するカードの表側表示面の代表例を示す平面図である。
【図５】本考案のトランプを構成するカードに含めることができる、変化記号（シャープ５又はフラット６）をさらに含む、本考案の第２の形態による五線記譜法記号が示されたカードの表側表示面の代表例を示す平面図である。
【考案を実施するための形態】
【００２７】
以下、本考案の実施の形態について、図面を参照して詳細に説明する。
【００２８】
図１乃至図５に示すように、本考案のトランプを構成する代表的なカードの表側表示面には、特定の１つの音の高さを示す五線記譜符記号が示される。
即ち、本考案によるトランプカード１の表側表示面には、五線２が記載され、ト音記号３１（図１（ａ）、図３（ｃ）参照）又はへ音記号３２（図１（ｂ）、図３（ｄ）参照）の何れかの音部記号が五線上の左端に記載され、その右側に音符４が１つの音の高さを示すように記載される。
図１の表示によって、各カードには特定の１つの音の高さが示されることにより、音名が明確に視認され得る。
図２は、本考案の形態による１組のトランプを構成する、１つの音の高さについて、異なる音価を示す音符が、それぞれ全音符４１（図２（ａ）参照）、二分音符４２（図２（ｂ）参照）、四分音符４３（図２（ｃ）参照）及び八分音符４４（図２（ｄ）参照）により表された五線記譜法記号を有する４種類のカードを１組のカードとする一例を示す図である。上記４種の音符の差異があっても、各カードには特定の１つの音名が明確に視認され得る。
また、図３に示すように、図１における五線記譜法記号により特定される１つの音の高さの表示は、互いに同じ五線記譜法記号の表示として、各カードの表側表示面に、複数表示されていてもよい。例えば、通常のトランプの表示と同様、中央部の表示と同じ表示を左上及び右下部に表示してもよい（図３（ａ）参照）。また、１つの音の高さを表すために、異なる音符及び変化記号からなる表示を併記してもよい（図３（ｂ）参照）。さらに、互いに同じ音の高さの五線記譜法記号表示を、各カード表側表示面の上部２分の１の領域及び下部２分の１の領域に、且つカードの中心に関して点対称の向きに、それぞれ１つずつ配してもよい（図３（ｃ）及び（ｄ）参照）。これらにより、上下どちらからも特定の１つの音名がさらに明確に視認可能となる。
図４は、１組のトランプを構成する、１組のカード群の代表例として、カード群を構成する音の高さが一点ハ音から二点ハ音まで（図４（ａ）乃至（ｈ）参照）の８枚とする例を示す図である。
図５は、本考案のトランプを構成するカードに含めることができる、変化記号（シャープ５又はフラット６）をさらに含む、五線記譜法記号が示された代表的なカードであり、シャープ５又はフラット６の変化記号が音部記号の右側であって且つ音符の左側に記載される。
ここで、図５（ａ）に示される音名「嬰イ」及び図５（ｂ）に示される音名「変ロ」は、音の高さは同じであるため、周知のトランプカードにおける同じ数字のトランプカードと相当するカードとしても用いられ得る。
【符号の説明】
【００２９】
１  トランプカード
２  五線
３１  ト音記号
３２  ヘ音記号
４  音符
４１  全音符
４２  二分音符
４３  四分音符
４４  八分音符
５  シャープ記号
６  フラット記号
【図１】
0003179557.tif 000003
【図２】
0003179557.tif 000004
【図３】
0003179557.tif 000005
【図４】
0003179557.tif 000006
【図５】
0003179557.tif 000007